(57)【要約】      （修正有）【課題】患者の頭部をより良く収容し、頭部に対して無線周波数コイルをより良好に配置することで、高い効率および精度で行うようにＭＲＩ装置を適合させる任意に調整可能な頭部コイルシステムを提供する。【解決手段】システムは、ハウジングを含み、ハウジングは下部１１、上部１２、および対向する側部１３からなる少なくとも１つの部分を有し、部分のそれぞれが調整可能性を容易にするために任意に他の部分と可動関係にあり、部分のそれぞれが少なくとも１つの無線周波数コイルを収容するように構成され、上部および下部は、少なくとも１つの無線周波数コイルのデカップリングを容易にするために、対向する側部に重なり合って係合し、舌部１４が、下部部分と係合可能であり、トランスポータと固定可能に結合可能で、任意の他の部分と任意に可動関係にある。【選択図】図２
0003221019.tif 000002
【実用新案登録請求の範囲】
【請求項１】
磁気共鳴画像法（MRI）を向上および/または最適化するための頭部コイルシステムであって、システムは、
少なくとも１つの部分を含むハウジングであって、少なくとも１つの部分は、下部、上部、および対向する側部を備え、少なくとも１つの部分のそれぞれは、調整可能性を容易にするために任意に他の少なくとも１つの部分と可動関係にあり、少なくとも１つの部分のそれぞれは、少なくとも１つの無線周波数（RF）コイルを収容するように構成され、上部および下部は、少なくとも１つのRFコイルのデカップリングを容易にするために、対向する側部に重なり合って係合するように構成され、下部は、対向する側部と任意に係合可能であるハウジングと、
調整可能性およびドッキング可能性の少なくとも１つを容易にするための任意の他の少なくとも１つの部分と可動であり、下部と係合可能であり、トランスポータと固定可能に結合可能である舌部と、
を含むシステム。
【請求項２】
前記ハウジングは、前記少なくとも１つの部分のそれぞれが他の少なくとも１つの部分に対する調整可能性によって、任意の所与の被検体の頭部を収容するように構成される、請求項１に記載のシステム。
【請求項３】
請求項１に記載のシステムにおいて、
前記少なくとも１つの部分のそれぞれおよび前記舌部の少なくとも１つは、少なくともメモリ特性を有するポリマー材料のような弾性材料と、別の下位部分に関して関節運動するように構成された少なくとも１つの下位部分と、を含む少なくとも１つの微調整機構を介して調整をさらに容易にするように構成され、
さらなる調整が可能となり、走査時間が最小限に抑えられる、システム。
【請求項４】
請求項１に記載のシステムにおいて、
前記トランスポータの少なくとも１つの対応するレールと係合し、前記舌部を前記下部および前記対向する側部と整列させるように構成された少なくとも１つのガイドと、
前記トランスポータの少なくとも１つの対応するガイドに係合し、前記舌部を前記下部および前記対向する側部に整列させるように構成された少なくとも１つのレールと、
をさらに含むシステム。
【請求項５】
前記少なくとも１つの下位部分のそれぞれは、ヒンジ、ピン、ボールジョイント、およびスライダのうちの少なくとも１つを介して別の下位部分に対して関節運動するように構成される、請求項３に記載のシステム。
【請求項６】
請求項１に記載のシステムにおいて、
前記少なくとも１つの部分のそれぞれおよび前記舌部の少なくとも１つは、閉じた位置の別の少なくとも１つの部分に対して重なり合うように構成され、
前記少なくとも１つの部分のそれぞれおよび前記舌部の少なくとも１つは、開いた位置の別の少なくとも１つの部分に対して間隔をあけて配置されるように構成されている、システム。
【請求項７】
請求項６に記載のシステムにおいて、
前記少なくとも１つのRFコイルの間の隙間を除去し、閉じた位置にある少なくとも１つのRFコイルのそれぞれとデカップリングを確実にするために、前記上部、前記下部、および前記舌部のうちの少なくとも１つが、重なるリップ構造によって前記対向する側部に重なり合って係合するように構成され、
実質的に円形の走査ボリュームが提供される、システム。
【請求項８】
前記少なくとも１つのRFコイルのそれぞれは、別の円形および蝶形のRFコイルと重なり合う少なくとも１つの構成を含む、請求項１に記載のシステム。
【請求項９】
請求項１に記載のシステムにおいて、
前記トランスポータの少なくとも１つの対応するレールと係合し、前記舌部を前記下部および前記対向する側部と整列させるように構成された少なくとも１つのガイドと、
前記トランスポータの少なくとも１つの対応するガイドに係合し、前記舌部を前記下部および前記対向する側部に整列させるように構成された少なくとも１つのレールと、
を含むシステム、それにより、
前記ハウジングは、前記少なくとも１つの部分のそれぞれが別の前記少なくとも１つの部分に対して調節可能となるように、任意の被験者の頭部を収容するように構成され、
前記少なくとも１つの部分のそれぞれおよび前記舌部の少なくとも１つは、少なくともメモリ特性を有するポリマー材料のような弾性材料と、少なくとも１つの下位材料とを含む少なくとも１つの微調整機構によって調整をさらに容易にするように構成されている、他の下位部分に関して関節運動するように構成され、さらなる調整が除去可能であり、走査時間が最小限に抑えられるように構成され、
前記ヒンジ、ピン、ボールジョイント、およびスライダのうちの少なくとも１つを介して別の下位部分に対して関節運動するように構成され、
前記少なくとも１つの部分のそれぞれおよび前記舌部の少なくとも１つは、閉じた位置において別の前記少なくとも１つの部分に対して重なるように構成され、
前記少なくとも１つの部分および前記舌部のそれぞれの少なくとも１つは、開いた位置において別の前記少なくとも１つの部分に対して離間して配置され、
前記少なくとも１つのRFコイルの間の隙間を除去し、閉じた位置にある少なくとも１つのRFコイルのそれぞれとデカップリングを確実にするために、前記上部、前記下部、および前記舌部のうちの少なくとも１つが、重なるリップ構造によって前記対向する側部に重なり合って係合するように構成され、実質的に円形の走査ボリュームが提供され、
それぞれの少なくとも１つのRFコイルは、円形及び蝶形の少なくとも１つの構成される、システム。
【請求項１０】
MRIを向上および/または最適化するための頭部コイルシステムを製造する方法であって、
方法は、
少なくとも１つの部分を備えるハウジングを提供する工程であって、工程は、
下部、上部及び対向する側部を設ける工程と、
調整可能性を容易にするために任意に他の部分と可動関係にある各部分を設ける工程と、
少なくとも１つのRFコイルを収容するように各部分を構成する工程と、
少なくとも１つのRFコイルのデカップリングを容易にするために、対向する側部に重なり合って係合するようにそれぞれ上部及び下部を任意に構成する工程と、
下部を対向する側部と係合可能であるように任意に構成する工程と、
で構成される工程と、
調節可能なドッキング可能性を容易にするために、任意に他の部分に対して可動の関係にある舌部を設ける工程において、舌部を設ける工程は、舌部を下部と係合可能に構成する工程と、舌部をトランスポータと固定可能に結合するように構成される工程と、
で構成される方法。
【請求項１１】
前記ハウジングを提供する工程は、前記少なくとも１つの部分のそれぞれが別の前記少なくとも１つの部分に対して調節可能となるように、任意の被験者の頭部を収容するよう前記ハウジングを構成する工程を含む、請求項１０に記載の方法。
【請求項１２】
請求項１０に記載の方法において、
前記少なくとも１つの部分のそれぞれおよび前記舌部を提供することの少なくとも１つは、調節可能性をさらに容易にするために、少なくともメモリ特性を有するポリマー材料のような弾性材料と、別の下位部分に対して関節接合するように構成された少なくとも１つの下位部分とを含む少なくとも１つの微調整フィーチャを介して、少なくとも１つの部分のそれぞれと前記舌部とを構成することを含み、
さらなる調整が可能となり、走査時間が最小限に抑えられる、方法。
【請求項１３】
請求項１０に記載の方法でおいて、
前記トランスポータの少なくとも１つの対応するレールに係合し、前記舌部を前記下部および前記対向する側部に整列させるように構成された少なくとも１つのガイドを提供する工程と、
前記トランスポータの少なくとも１つの対応するガイドと係合するように構成され、前記舌部を前記下部および前記対向する側部と整列させるように構成された少なくとも１つのレールを設ける工程と、をさらに含む方法。
【請求項１４】
前記ヒンジ、ピン、ボールジョイント、およびスライダのうちの少なくとも1つを介して、別の下位部分に関連して関節運動するように、少なくとも1つの下位部分のそれぞれを構成することを含む、請求項12に記載の方法。
【請求項１５】
請求項１０に記載の方法において、
前記少なくとも１つの部分のそれぞれおよび前記舌部を提供することの少なくとも１つは、少なくとも１つの部分のそれぞれおよび前記舌部を、閉じた位置の別の少なくとも１つの部分に対して重なり合うように構成し、
前記少なくとも１つの部分のそれぞれおよび前記舌部を提供することの少なくとも１つは、少なくとも１つの部分のそれぞれおよび前記舌部を、開いた位置の別の少なくとも１つの部分に対して離間させるように構成する、方法。
【請求項１６】
請求項１5に記載の方法において、
上部の少なくとも１つ、下部、および舌部を提供することは、少なくとも１つのRFコイルの間の隙間をなくし、閉じた位置にある少なくとも１つのRFコイルのデカップリングを確実にするための重なり合うリップ構造を介して、上部、下部、および舌部を、それぞれ対向する側部に重なり合って係合するように構成することを含み、それにより、
実質的に円形の走査ボリュームが提供される、方法。
【請求項１７】
各前記少なくとも１つのRFコイルは、別の円形および蝶形のRFコイルと重なる少なくとも１つの構成を含む、請求項１０に記載の方法。
【請求項１８】
頭部コイルシステムを用いてMRIを向上および/または最適化する方法であって、方法は、
前記頭部コイルシステムを提供する工程であって、工程は、
少なくとも１つの部分を備えるハウジングを提供する工程であって、工程は、
下部、上部及び対向する側部を設ける工程と、
調整可能性を容易にするために、任意に他の少なくとも１つの部分と可動関係にある少なくとも１つの部分のそれぞれを提供する工程と、
少なくとも１つのRFコイルを収容するように各部分を構成する工程と、
少なくとも１つのRFコイルのデカップリングを容易にするために、対向する側部に重なり合って係合するようにそれぞれ上部および下部を任意に構成する工程と、
下部を対向する側部と係合可能であるように任意に構成する工程と、
を含む工程と、
前記舌部を前記下部と係合可能に構成するステップと、前記舌部をトランスポータと固定可能に結合可能に構成するステップとを含む、舌部分を提供する工程と、
を含む工程と、
前記舌部を前記トランスポータに対して固定的に連結する工程と、
を含む方法。
【請求項１９】
請求項１８に記載の方法において、
前記舌部に被検体の頭部を配置する工程と、
頭部を具体的に収容するように舌部を任意に調整する工程と、
トランスポータを介して、下部部分および対向する側部に関して舌部を移動させる工程と、
前記対向する側部に関して前記上部を任意に移動させる工程と、
対向する側部を下部および舌部の少なくとも一方に対して任意に移動させる工程と、をさらに含み、
それにより、対向する側部に対して上部と下部とが任意に重なり合って係合する。
【請求項２０】
前記頭部を特にさらに収容するように少なくとも１つの部分を調整する工程をさらに含む、請求項１９に記載の方法。
【請求項２１】
前記トランスポータを提供することをさらに含み、前記トランスポータは、MRIテーブルを備え、それにより、ストレッチャの必要性を排除する、請求項１８に記載の方法。
【請求項２２】
請求項１８に記載の方法であって、
ハウジングをMRI装置にスライドさせることによって頭部コイルシステムのハウジングを保管し、そして、
使用のためにハウジングをMRI装置からスライドさせることによって頭部コイルシステムのハウジングを展開し、それにより、
頭部コイルをキャビネットから移動させる必要がなくなること、をさらに含む方法。
【請求項２３】
請求項２２に記載の方法において、
前記トランスポータを前記MRI装置に移動させることによって前記舌部を前記下部でドッキングさせる工程をさらに含み、それにより、
頭部コイルシステムを患者の頭部に対して効率的に配置することができ、
患者の頭部を効率的に画像化する準備ができている、方法。
【請求項２４】
前記トランスポータを前記MRI装置から移動させることによって前記舌部を前記下部からドッキング解除し、それにより前記患者を治療のために効率的に準備することをさらに含む、請求項２３に記載の方法。
【考案の詳細な説明】
【技術分野】
【０００１】
本開示は、技術的には、磁気共鳴画像法（MRI）システムおよび方法の分野に関する。より詳細には、本開示は、技術的には、無線周波数（RF）コイルシステムおよびMRIのための方法の分野に関する。さらに詳細には、本開示は、技術的には、RF頭部コイルシステムおよびMRIのための方法の分野に関する。
【背景技術】
【０００２】
関連技術では、無線周波数（RF）コイルは、磁気共鳴画像法（MRI）分野のRF信号の受信機であり、時には送信機でもある。MRIにおける磁気共鳴（MR）信号は、典型的には電磁場に対応する信号を生成し受信する、送信コイルおよび受信コイルのような２つのタイプの電磁コイルを含むRFコイルによって放射される共鳴によって生成される。原子核は、MRIで使用するための電磁スペクトルの無線周波数部分に特有の共鳴周波数を有する。
【０００３】
図１を参照すると、この図は、従来技術による、典型的にはバードケージ構成を有するMRI「頭部コイル」またはMRI「脳コイル」5を示す。これらの関連技術の頭部コイルは面倒であり、また被験者、例えば患者、における閉所恐怖症を含む様々なタイプの身体的および精神的苦痛を引き起こす。医師、放射線科医、およびMRI技術者は、現在、問題の病因を理解し、その状態に対抗するための適切な操縦または適切な介入を試みることによって、罹患した患者を管理しようと試みる。しかしながら、そのような努力は、従来技術のMRI装置の物理的制約によって制限される。 バードケージスタイルの頭部コイルの多くは剛性であり、規則正しい形の頭部寸法の中央値に適合するように製造されているので、頭部がより大きくまたは不規則な形状の被験者は、不適合な関連技術の頭部コイルによって物理的な苦痛を被る可能性がある。
【０００４】
関連技術のMRI装置では、MR環境において被験者が経験する「心理的苦痛」は、手順に起因する主観的に不快な経験をすべて含む。 例えば、患者は軽度の不安から深刻なパニック発作に至る苦痛を経験することがあり、それによって精神医学的介入または投薬が必要とされる。MR検査に対する深刻な心理的反応は、以下の症状の少なくとも４つの急速な発症によって特徴付けられる：吐き気、感覚異常、動悸、胸痛、気分障害、呼吸困難、窒息感、発汗、震え、めまい、脱個人化、コントロール喪失の恐怖、睡眠障害の恐怖、 または死の恐怖。
【０００５】
具体的には、不適合な関連技術の頭部コイルは、密閉空間の顕著な、持続的な、過度の恐怖を特徴とする恐怖障害に罹りやすい多くの患者において閉所恐怖症を引き起こす可能性が高い。 そのような罹患者では、MRIの装置内、特に関連技術のMRI頭部コイル内のような閉じた空間への曝露は、パニック発作のレベルまで上昇する可能性のある即時不安応答を引き起こす傾向がある。 医療従事者は、このような苦痛を改善しようとする際にかなりの時間が費やされ、通常は撮像を損なう結果となる。
【０００６】
したがって、MRI頭部コイルは、従来技術において多くの課題を抱えていた。それらは、容積および形状の両方に関して患者の頭部を適切に収容することと、制限された操縦性と、制限されたまたは存在しない調節可能性と、患者の頭部を関連するコイルに入れなければならないという場合、および患者が既に横たわっている場合には、患者の頭部を関連する部分に配置するために関連技術を患者の頭の下に置く必要がある ために、患者の快適性及び画像品質に悪影響を与えることと、を含む。
【考案の概要】
【０００７】
本開示は、新しく製造された磁気共鳴画像法（MRI）装置に関して容易に実現可能であるか、または既存のMRI装置に対して容易に後付け可能であるか、頭部コイルシステムおよびMRIを向上および最適化するための方法によって達成されるように、関連技術のMRI頭部コイルによって経験される前述の課題の少なくとも多くに対処するものである。現在開示されている調整可能な頭部コイルシステムおよびMRIを最適化して最適化するための方法は、患者の頭部をより良く収容し、患者の頭部に対して無線周波数（RF）コイルをより良好に配置することによって、高い効率および精度で行うようにMRI装置を適合させる。 今日まで、これらの機能は従来技術では利用できなかった。
【０００８】
本開示の一実施形態によれば、MRIを向上および/または最適化するための頭部コイルシステムは、少なくとも１つの部分を含むハウジングであって、前記少なくとも１つの部分は、下部、上部、および対向する側部を備え、少なくとも１つの部分のそれぞれは、調整可能性を容易にするために任意に他の少なくとも１つの部分と可動関係にあり、少なくとも１つの部分のそれぞれは、少なくとも１つの無線周波数コイルを収容するように構成され、少なくとも１つのRFコイルのデカップリングを容易にするために、対向する側部に重なり合って係合するように構成された上部と下部と、下部は、対向する側部と任意に係合可能であり、舌部であって、舌部は、調整可能性およびドッキング可能性の少なくとも１つを容易にするための任意の他の少なくとも１つの部分と可動であり、下部と係合可能であり、トランスポータと固定可能に結合可能である舌部と、を含む。
【０００９】
本開示の別の実施形態によれば、MRIを向上および/または最適化するための頭部コイルシステムを製造する方法であって、少なくとも１つの部分を含むハウジングであって、前記少なくとも１つの部分は、下部、上部、および対向する側部を備え、少なくとも１つの部分のそれぞれは、調整可能性を容易にするために任意に他の少なくとも１つの部分と可動関係にあり、少なくとも１つの部分のそれぞれは、少なくとも１つの無線周波数コイルを収容するように構成され、少なくとも１つのRFコイルのデカップリングを容易にするために、対向する側部に重なり合って係合するように構成された上部と下部と、下部は、対向する側部と任意に係合可能であり、舌部であって、舌部は、任意に他の部分に対して可動の関係にある舌部を設けて、患者の頭部に対する各部分の配置を容易にするような調節可能性およびドッキング可能性の少なくとも１つを容易にし、例えば、患者の頭部およびトランスポータの少なくとも一方に関連して少なくとも１つの部分および舌部を適用および除去することを容易にするために、舌部を下部と係合可能に構成し、舌部をトランスポータと固定可能に結合可能に構成する工程とを含む。
【００１０】
本開示の別の実施形態によれば、頭部コイルシステムによってMRIを向上および/または最適化する方法であって、方法は、調整可能な頭部コイルシステムを提供する事を介することであって、少なくとも１つの部分を含むハウジングであって、前記少なくとも１つの部分は、下部、上部、および対向する側部を備え、少なくとも１つの部分のそれぞれは、調整可能性を容易にするために任意に他の少なくとも１つの部分と可動関係にあり、少なくとも１つの部分のそれぞれは、少なくとも１つの無線周波数コイルを収容するように構成され、少なくとも１つのRFコイルのデカップリングを容易にするために、対向する側部に重なり合って係合するように構成された上部と下部と、下部は、対向する側部と任意に係合可能であり、舌部であって、舌部は、任意に他の部分に対して可動の関係にある舌部を設けて、患者の頭部に対する各部分の配置を容易にするような調節可能性およびドッキング可能性の少なくとも１つを容易にし、舌部を下部と係合可能に構成し、舌部をトランスポータと固定可能に結合可能に構成する工程とを含み、舌部に患者などの被検体の頭部を配置する工程と、 頭部を具体的に収容するように舌部を任意に調整する工程と、トランスポータを介して、下部および対向する側部に関して舌部を移動させる工程とを含む。
【００１１】
本開示の特徴のいくつかは、「詳細な説明」と題されたセクションがよりよく理解され、当該技術への現在の貢献がより良く評価され得るように広く概説されている。 本開示のさらなる特徴を以下に記載する。 これに関して、本開示は、その適用において、本明細書に記載された構成要素または工程の詳細に、または様々な方法で実施されるいくつかの図面に示されるように限定されないことが理解される。 また、本明細書で使用される表現および用語は、説明のためのものであり、限定的であると見なされるべきではないことが理解される。
【図面の簡単な説明】
【００１２】
本開示のいくつかの実施形態の上記および他の態様、特徴、および利点は、以下の図面のいくつかの図面と共に提示される以下の詳細な説明からより明らかになるであろう。
【図１】図１は、従来技術に従って、使用準備が整うまで典型的に別個のキャビネット内に格納されたバードケージ構成を有するMRI「頭部コイル」またはMRI「脳コイル」の斜視図を示す図である。
【図２】図２は、本開示の一実施形態による、開放位置でMRIを向上および/または最適化するための頭部コイルシステムの斜視図を示す図である。
【図３】図３は、図２に示されるように、本開示の一実施形態による、開位置でMRIを向上および/または最適化するための頭部コイルシステムの上面図を示す図である。
【図４】図４は、図２に示すように、本開示の一実施形態による、開位置でMRIを向上および/または最適化するための頭部コイルシステムの正面図を示す図である。
【図５】図5は、図２に示すように、本開示の一実施形態による、開放位置でMRIを強調および/または最適化するための頭部コイルシステムの側面図を示し、対向する側面図は実質的に対称である。
【図６】図６は、本開示の実施形態による、閉位置でMRIを向上および/または最適化するための頭部コイルシステムの斜視図を示す図である。
【図７】図７は、図６に示すように、本開示の一実施形態による、閉じた位置でMRIを向上および/または最適化するための頭部コイルシステムの上面図を示す図である。
【図８】図８は、図６に示すように、本開示の一実施形態による、閉じた位置でMRIを向上および/または最適化するための頭部コイルシステムの正面図を示す図である。
【図９】図９は、実質的に対称な反対側の側面図である図６に示すように、本開示の一実施形態による、閉じた位置でMRIを向上および/または最適化するための頭部コイルシステムの側面図を示す図である。
【図１０】図１０は、図２〜図９に示すように、本開示の一実施形態による、MRIを向上および/または最適化するための頭部コイルシステムと共に使用するための、MRIテーブルなどのトランスポータの斜視図を示す図である。
【図１１】図１１は、図２〜図９に示すように、本開示の一実施形態による、MRIを向上および/または最適化するための頭部コイルシステムとともに使用するためのMRIテーブルのようなトランスポータの側面図を示す図である。
【図１２】図１２は、RFコイルを任意に含む下部が示されている図２〜図９に示すように、本開示の一実施形態による、MRIを向上および/または最適化するための頭部コイルシステムの下部の斜視図を示す図である。
【図１３】図１３は、図１２に示すように、本開示の別の実施形態による、下部または舌部のRFコイルの斜視図を示す図である。
【図１４Ａ】図１４Aは、 MRI装置と共に使用するために図２〜図１１に示すように、本開示の一実施形態による、頭部コイルシステムの斜視図である。
【図１４Ｂ】図１４Bは、図１４Aに示すように、本開示の一実施形態による、MRI装置とともに使用する頭部コイルシステムの斜視図を示す図である。
【図１４Ｃ】図１４Cは、図１４Aに示すように、本開示の一実施形態による、MRI装置とともに使用する頭部コイルシステムの斜視図を示す図である。
【図１４Ｄ】図１４Dは、図１４Aに示すように、本開示の一実施形態による、MRI装置とともに使用する頭部コイルシステムの斜視図を示す図である。
【図１５】図１５は、本開示の一実施形態による、閉じた位置でMRIを強調および/または最適化するための頭部コイルシステムの断面図を示す図であり、少なくとも１つの重なり合うリップなどの少なくとも１つの重複部分が、実質的に円形の走査本開示の一実施形態による、表面または走査ボアを示す図である。
【図１６】図１６は、本開示の一実施形態による、MRIを向上および/または最適化するための頭部コイルシステムを製造する方法を示す流れ図である。
【図１７】図１７は、本開示の一実施形態による、頭部コイルシステムによってMRIを強化および/または最適化する方法を示す流れ図である。
【００１３】
対応する参照番号または文字は、図面のいくつかの図を通して対応する構成要素を示す。 いくつかの図の要素は、簡潔かつ明瞭にするために示されており、必ずしも縮尺通りに描かれていない。 例えば、現在開示されている様々な実施形態の理解を容易にするために、図の要素のいくつかの寸法を他の要素に対して強調してもよい。 また、商業的に実現可能な実施形態において有用であるかまたは必要な一般的であるが、十分に理解されている要素は、本開示のこれらの様々な実施形態の視野をより少なくするのを容易にするために、しばしば図示されていない。
【考案を実施するための形態】
【００１４】
図２を参照すると、この図は、本開示の一実施形態による、開放位置で磁気共鳴画像法（MRI）を向上および/または最適化するための頭部コイルシステムSの斜視図を示す。MRIを向上および/または最適化するための任意に調節可能な頭部コイルシステムSは、ハウジング１０を含み、ハウジング１０は、少なくとも１つの部分を含み、少なくとも１つの部分は、下部１１、上部１２と、対向する側部１３と、調整可能性を容易にするために任意に他の部分と可動関係にある少なくとも１つの部分と、各少なくとも１つの部分は、少なくとも１つの無線周波数（RF）コイル２０を収容するように構成され、少なくとも１つのRFコイル２０のデカップリングを容易にするために、対向する側部１３に重なり合って係合するように構成された上部１２および下部１１と、下部１１と係合可能であり、トランスポータTと固定可能に結合可能である少なくとも１つの他の少なくとも１つの部分と可動である舌部１４とを含む。下部１１、上部１２、および対向する側部１３のような少なくとも１つの部分のそれぞれの少なくとも１つと、舌部１４とは、別の少なくとも１つの部分、例えば下部１１と、上部１２と、対向する側部１３とを含む。
【００１５】
図３を参照すると、この図は、図２に示すように、本開示の一実施形態による、開放位置でMRIを向上および/または最適化するための頭部コイルシステムSを下面図で示している。任意に調整可能な頭部コイルシステムSは、トランスポータTの少なくとも１つの対応するレール３０に係合し、舌部１４を下部１１および対向する側部１３と整列させるように構成された少なくとも１つのガイド（図示せず）と、トランスポータTの少なくとも１つの対応するガイド（図示せず）と係合し、舌部１４を下部１１および対向する側部１３と整列させるように構成された少なくとも１つのレール（図示せず）とを含む（図１０、 １１および１４をさらに参照）。
【００１６】
図４を参照すると、この図は、図２に示すように、本開示の一実施形態による、開放位置でMRIを向上および/または最適化するための頭部コイルシステムSを上から見た図である。頭部コイルシステムSは、任意に調節可能である。ハウジング１０は、下部１１、上部１２、および対向する側部１３のような別の少なくとも１つの部分に対して少なくとも１つの部分のそれぞれの調節可能性によって、任意の被験者の頭部を収容するように構成される。さらに、下部１１、上部１２、および対向する側部１３などの少なくとも１つの各部分の少なくとも１つと、舌部１４とは、少なくとも１つの微調整機構によって調整をさらに容易にするように構成される（図示せず）と、少なくとも弾性材料と、メモリ特性を有するポリマー材料と、別の下位部分に対して関節運動するように構成された少なくとも１つの下位部分（図示せず）とを含み、それにより更なる調整が除去可能であり、それによって走査時間が最小限に抑えられる。
【００１７】
図５を参照すると、この図は、図２に示すように、本開示の一実施形態による、頭部コイルシステムSを側面図で示しているか、開放位置でMRIを向上および/または最適化している。 頭部コイルシステムSは、任意に調節可能である。下部１１、上部１２および対向する側部１３のような少なくとも１つの部分のそれぞれは、ヒンジ、ピン、またはそれらの組み合わせの少なくとも１つを介して別の少なくとも１つの部分に対して関節運動するように構成される ボールジョイント、およびスライダを含む。さらに、下部１１、上部１２、対向する側部１３およびさらには舌部１４の少なくとも１つの下位部分のそれぞれは、ヒンジ、ピン、ボールジョイント、およびスライダのうちの少なくとも１つを介して、別の少なくとも１つの下位部分（図示せず）に関連して関節運動するように構成される。
【００１８】
図６を参照すると、この図は、本開示の一実施形態による、閉じた位置でMRIを向上および/または最適化するための頭部コイルシステムSの斜視図を示す。頭部コイルシステムSは、任意に調節可能である。 MRIを向上および/または最適化するための任意に調節可能な頭部コイルシステムSは、ハウジング１０を含み、ハウジング１０は、少なくとも１つの部分を含み、少なくとも１つの部分は、下部１１、上部１２と、対向する側部１３とを含み、調整可能性を容易にするために他の少なくとも１つの部分と任意に可動関係にある少なくとも１つの部分と、少なくとも１つのRFコイル２０を収容するように構成された少なくとも１つの部分、上部１２および下部１１は、それぞれ、少なくとも１つのRFコイル２０のデカップリングを容易にするために、下部１１は、対向する側部１３と任意に係合可能である。下部１１と係合可能であり、トランスポータTと固定可能に結合可能である少なくとも１つの調整可能性およびドッキング可能性を促進するために任意に他の部分と可動関係にある舌部１４とを含む。
【００１９】
さらに図６を参照すると、下部１１、上部１２、および対向する側部１３のような少なくとも１つの部分のそれぞれの少なくとも１つと、舌部１４は、別の少なくとも１つの部分 例えば下部１１、上部１２、および対向する側部１３を開放位置に有する。 舌部１４は、少なくとも１つのRFコイル２０の間の隙間をなくし、RFコイルのデカップリングを確実にするために、重なり合うリップ構造１5を介して、対向する側部１３に重なり合って係合するように任意に構成されている実質的に円形の走査のような走査容積Vが提供される（図１5をさらに参照）。
【００２０】
図７を参照すると、この図は、図６に示すように、本開示の一実施形態による、閉位置でMRIを向上および/または最適化するための頭部コイルシステムSを下面図で示している。頭部コイルシステムSは、任意に調節可能である。下部１１、上部１２、および対向する側部１３、および舌部１４のような少なくとも１つの部分のそれぞれの少なくとも１つは、任意に、別の少なくとも１つの部分、例えば 下部１１、上部１２、および対向する側部１３を閉位置に保持する。
【００２１】
図８を参照すると、この図は、図６に示すように、 本開示の一実施形態による、閉位置でMRIを向上および/または最適化するための頭部コイルシステムSを上から見た図である。頭部コイルシステムSは、任意に調節可能である。上部１２、下部１１、および舌部１４の少なくとも１つは、少なくとも１つのRFコイル２０の間の隙間を排除するために、重なり合うリップ構造１5によって、対向する側部１３に重なり合って、 閉じた位置にある少なくとも１つのRFコイル２０のデカップリングを確実にする。
【００２２】
図９を参照すると、この図は、実質的に対称な反対側の側面図である図６に示すように、本開示の一実施形態による、閉位置でMRIを増強および/または最適化するための頭部コイルシステムSを側面図で示している。頭部コイルシステムSは、任意に調節可能である。下部１１、上部１２、および対向する側部１３のような少なくとも１つの部分のそれぞれは、ヒンジ、ピン、ボールジョイントおよびスライダのうちの少なくとも１つを介して他の部分に対して（例えば、所与の頭部に対して最適なフィットを提供するようにサイズおよび形状を調整するためおよびハウジング１０の閉じたを容易にするために）関節接合するように任意に構成されている 。さらに、下部１１、上部１２、対向する側部１３、さらには舌部１４の少なくとも１つの下位部分のそれぞれは、任意に別の下位部分（図示せず）と関連して連接するように構成されてもよいヒンジ、ピン、ボールジョイント、およびスライダのうちの少なくとも１つの部材を含む。
【００２３】
図１０を参照すると、この図は、図２〜図９に示すように、本開示の一実施形態による、MRIを向上および/または最適化するための頭部コイルシステムSと共に使用するためのMRIテーブルなどのトランスポータTを斜視図で示している。頭部コイルシステムSは任意に調整可能であり、さらに、トランスポータTの少なくとも１つの対応するレール３０に係合し、舌部１４を下部１１および対向する側部１３と整列させるように構成された少なくとも１つのガイド（図示せず）と、トランスポータTの少なくとも１つの対応するガイド（図示せず）に係合し、舌部１４を下部１１および対向する側部１３と整列させるように構成された少なくとも１つのレール（図示せず）と、を含む（図１１および図１４をさらに参照 ）。
【００２４】
図１１を参照すると、この図は、図２〜図９に示すように、 本開示の一実施形態による、図１０に示されている、頭部コイルシステムSとともに使用するためのMRIを強調および/または最適化するためのMRIテーブルのようなトランスポータTの側面図のを示している。頭部コイルシステムSは任意に調整可能であり、さらに、トランスポータTの少なくとも１つの対応するレール３０に係合し、舌部１４を下部１１および対向する側部１３と整列させるように構成された少なくとも１つのガイド（図示せず）と、トランスポータTの少なくとも１つの対応するガイド（図示せず）に係合し、舌部１４を下部１１および対向する側部１３と整列させるように構成された少なくとも１つのレール（図示せず）と、を含む（図１１および図１４をさらに参照 ）。
【００２５】
図１２を参照すると、この図は、図２〜図９にRFコイル２０を任意に含む下部１１が示すように、本開示の一実施形態による、MRIを向上および/または最適化するための頭部コイルシステムSの下部１１を斜視図で示している。頭部コイルシステムSは、任意に調節可能である。
【００２６】
図１３を参照すると、この図は、図１２に示すように、本開示の一実施形態による、下部１１のRFコイル２０の斜視図で示している。 少なくとも１つのRFコイル２０のそれぞれは、円形及び蝶形の少なくとも１つの構成を含む。少なくとも１つのRFコイル２０は、重複構成を有する複数のRFコイル２０を備える。
【００２７】
図１４Aを参照すると、この図は、図２〜図１１に示すように、本開示の一実施形態による、MRI装置Aと共に使用するための頭部コイルシステムSの斜視図を示す。頭部コイルシステムSは、任意に調節可能であり、上部１２および下部１１と、対向する側部１３と、舌部１４とを備える。舌部１４は、下部１１および対向する側部１３と係合可能であり、トランスポータTと結合することができ、上部１２および下部１１ならびに対向する側部１３は、MRI装置Aに関して格納可能であり、システムSが使用されていないときは、舌部１４が下部１１および対向する側部１３から外れることできる。
【００２８】
さらに図１４Aを参照すると、任意に調整可能な頭部コイルシステムSを使用することによって、患者の頭部が舌部１４上に快適に配置され、患者の頭部がハウジング１０に入る前に細部を調整することができる。トランスポータTは、少なくとも１つのガイドおよび少なくとも１つのレールを介して下部１１および対向する側部１３と容易に係合および/または整合する舌部１４を有するMRI装置Aに向かって容易に移動する。登録されている間、頭部コイルシステムSの調整可能な実施形態を使用する場合、MRI技術者のような医療関係者は、対向する側部１３に関して上部１２を調整し、下部１１および舌部１４の少なくとも一方に対して、関節部、配置部および係合部によって、対向する側部１３を調節することができる。さらに、細かい調整は、その下位部分の関節運動、配置、および係合によって行うことができる。
【００２９】
図１４Bを参照すると、この図は、図１４Aに示すように、本開示の一実施形態による、MRI装置Aと共に使用するための頭部コイルシステムSの斜視図を示す。頭部コイルシステムSは、任意に調節可能であり、上部１２および下部１１と、対向する側部１３と、舌部１４とを備える。舌部１４は、下部１１および対向する側部１３と係合可能であり、トランスポータTと結合することができ、上部１２および下部１１ならびに対向する側部１３は、MRI装置Aに関して摺動可能であり、トランスポータTをMRI装置Aに向けて移動させることによって、舌部１４が下部１１と対向する側部１３とに圧入等により係合することができる。
【００３０】
図１４Cを参照すると、この図は、図１４Aに示すように、本開示の一実施形態による、MRI装置Aと共に使用するための頭部コイルシステムSの斜視図を示す。頭部コイルシステムSは、任意に調節可能であり、上部１２および下部１１と、対向する側部１３と、舌部１４とを備える。舌部１４は、下部１１および対向する側部１３と係合可能であり、トランスポータTと結合することができ、上部１２および下部１１ならびに対向する側部１３は、MRI装置Aに関して摺動可能であり、トランスポータTをMRI装置Aに向けて移動させることによって、そして舌部１４が下部１１及び対向する側部１３と完全に係合されるまで、上部１２及び下部１１並びに対向する側部１３をMRI装置Aから外向きにスライドさせることによって、舌部１４が下部１１と対向する側部１３とに圧入等により係合することができる。
【００３１】
図１４Dを参照すると、この図は、図１４Aに示すように、本開示の一実施形態による、MRI装置Aと共に使用するための頭部コイルシステムSの斜視図を示す。頭部コイルシステムSは、任意に調節可能であり、上部１２および下部１１と、対向する側部１３と、舌部１４とを備える。舌部１４は、下部１１および対向する側部１３と係合可能であり、トランスポータTと結合することができ、上部１２および下部１１ならびに対向する側部１３は、MRI装置Aに関して、例えばMRI装置Aの中に（及びそこから）摺動可能であり、舌部１４が下部１１および対向する側部１３と完全に係合し、トランスポータTをMRI装置Aに向かって回転させて頭部コイルシステムSがシステム内に完全に配置されるまで、トランスポータTをMRI装置Aに向かって転動させられる。これにより、頭部コイルシステムSは使用の準備ができている。
【００３２】
図１４A~図１４Dを再び参照すると、頭部コイルシステムSのハウジングは、調節可能であってもよいし、固定されていても一体的に形成されていてもよく、ハウジングはMRI装置Aに格納可能であり、本開示のいくつかの実施形態では、トランスポータTはMRIテーブルを備え、これによりストレッチャの必要性が排除される。関連技術のMRIシステムに関して典型的に必要とされる別のストレッチャの必要性を排除することで、診断および治療を加速するために緊急患者をより迅速に撮像することができる。MRIテーブルを備えたトランスポータTでは、関連技術のストレッチャからMRIテーブルに患者を移動させる必要がなくなる。固定頭部コイルシステムのハウジングは、例えば、使用していないときにハウジングをMRI装置A内にスライドさせること、および使用のためにハウジングをMRI装置からスライドさせることによって固定頭部コイルシステムのハウジングを展開することによって、MRI装置A内に格納されるように構成される関連技術の頭部コイルをキャビネットから移動させる必要がなくなる。固定頭部コイルシステムでは、舌部１４は、トランスポータTをMRI装置Aに移動させることによって下部１１とドッキング可能であり、それにより固定頭部コイルシステムを患者の頭部に対して効率的に配置することができ、また画像化のために患者の頭部を効率的に準備することができる。固定頭部コイルシステムでは、トランスポータTをMRI装置Aから移動させることにより、舌部１４が下部１１からドッキング解除可能であり、それによって患者を治療のために効率的に準備するができる。
【００３３】
図１５を参照すると、この図は、本開示の一実施形態による、閉じた位置でMRIを増強および/または最適化するための頭部コイルシステムSを断面図で示しており、少なくとも１つの重なり合うリップなどの少なくとも１つの重なり部分１5が、実質的に円形の走査面または走査ボアのような空洞または容積Vを形成する。頭部コイルシステムSは、任意に調節可能である。上部１２、下部１１、および舌部１４の少なくとも１つは、少なくとも１つのRFコイル２０の間の隙間をなくすために、また閉位置にある少なくとも１つのRFコイル２０のデカップリングを保証するために、重なり合うリップ構造によって対向する側部に重なり合って係合するように構成される。 それにより、実質的に円形の走査のような走査容積Vが提供される（図１5をさらに参照）。
【００３４】
図１６を参照すると、この流れ図は、本開示の一実施形態による、MRIを向上および/または最適化するための頭部コイルシステムSを製造する方法M１を示す。頭部コイルシステムSは、任意に調節可能である。MRIを向上および/または最適化するための頭部コイルシステムSを製造する方法M１は、ブロック１６００によって示されるように、少なくとも１つの部分を含むハウジング１０を提供する工程と、少なくとも１つの部分を提供する工程であって、ブロック１６０１によって示されるように、下部１１、上部１２、および対向する側部１３を提供する工程と、ブロック１６０２によって示されるように、調整可能性を容易にするために、少なくとも１つの部分を、任意の他の少なくとも１つの部分に対して可動の関係で任意に提供する工程と、ブロック１６０３に示すように、各部分を少なくとも１つのRFコイル２０を収容するように設定する工程と、ブロック１６０４によって示されるように、少なくとも１つのRFコイル２０のデカップリングを容易にするために、対向する側部１３に重なり合って係合するように、上部および下部をそれぞれ任意に構成する工程と、ブロック１６０5に示すように、下部１１を対向する側部１３と係合可能に設定する工程と、ブロック１６０６に示すように、少なくとも１つの他の部分と可動に関係する舌部１４を設ける工程であって、舌部１４を設けることは、舌部１４を下部１１と係合可能に設定し、舌部１４をトランスポータTと連結可能に設定される、工程と、を含む。
【００３５】
図１７を参照すると、この流れ図は、本開示の一実施形態による、頭部コイルシステムSを介してMRIを向上および/または最適化する方法M２を示す。頭部コイルシステムSは、任意に調節可能である。頭部コイルシステムSを介して磁気共鳴イメージングを強化及び/又は最適化する方法M２は、ブロック１７００に示すように、頭部コイルシステムSを提供する工程と、ブロック１７０１によって示されるように、少なくとも１つの部分を含むハウジング１０を提供する事を含む、調整可能な頭部コイルシステムSを提供する工程と、ブロック１７０２によって示されるように、下部１１、上部１２、および対向する側部１３の少なくとも１つの部分を提供する工程と、ブロック１７０３によって示されるように、調整可能性を容易にするために、任意に他の少なくとも１つの部分に対して可動の関係で少なくとも１つの部分のそれぞれを提供する工程と、ブロック１７０４に示すように、各部分を少なくとも１つのRFコイル２０を収容するように設定する工程と、ブロック１７０5によって示されるように、少なくとも１つのRFコイル２０のデカップリングを容易にするために、対向する側部１３と重なり合うように上部１２および下部１１をそれぞれ任意に設定する工程と、ブロック１７０６によって示されるように、下部１１を対向する側部１３と係合可能であるように任意に設定する工程と、ブロック１７０７に示すように、調節可能性及びドッキング可能性の少なくとも１つを容易にするために、他の少なくとも１つの部分に対して可動の関係にある舌部１４を設ける工程であって、舌部１４は、舌部１４を下部１１と係合可能に構成する事と、舌部１４をトランスポータTと固定可能に結合可能に構成する事とを含む、工程と、ブロック１７０８に示すように、舌部１４をトランスポータTと連結する工程と、を含む。
【００３６】
さらに図１７を参照すると、方法M２は、舌部１４に被検体の頭部を配置する工程と、頭部を具体的に収容するように舌部１４を任意に調節する工程と、トランスポータTを介して下部１１と対向する側部１３とに関して舌部１４を移動させ、それにより対向する側部に対して上部１２と下部１１を重ね合わせて係合させる工程と、をさらに含む。方法M２は、頭部を具体的にさらに収容するように少なくとも１つの部分を調整することをさらに含む。
【００３７】
さらに図１７を参照すると、調節可能ではなく頭部コイルシステムSが固定されている実施形態では、方法M２は、トランスポータTが提供され、トランスポータTはMRIテーブルで構成され、それによりストレッチャの必要性が排除される工程をさらに含む。方法M２は、ハウジングをMRI装置Aにスライドさせることによって頭部コイルシステムSのハウジングを格納する工程と、ハウジングをMRI装置Aからスライドさせて頭部コイルシステムSのハウジングを展開させる工程をさらに含み、それにより頭部コイルをキャビネットから移動させる必要がなくなる。方法M２は、トランスポータTをMRI装置Aに移動させることによって舌部１４を下部１１にドッキングさせる工程をさらに含み、それにより頭部コイルシステムSを患者の頭部に対して効率的に配置することができ、画像化のために患者の頭部を効率的に準備することができる。方法M２は、トランスポータTをMRI装置Aから移動させることによって、下部１１から舌部１４をドッキング解除することにより、患者を治療のために効率的に準備することをさらに含む。
【００３８】
本明細書で詳細に説明されている情報は、本開示の上記の目的、本開示の現在好ましい実施形態を完全に達成することができ、したがって、本開示によって広く企図される主題を代表するものである。本開示の範囲は、当業者に明らかになる可能性のある他の実施形態を完全に包含し、添付の特許請求の範囲以外の何物でも限定されるものではなく、明示的に述べられていない限り、「１つだけ」を意味することを意図しているが、むしろ「１つ以上」を意味する。上記の好ましい実施形態の要素および当業者によって考慮される追加の実施形態の要素に対する全ての構造的および機能的均等物は、参照により明示的に組み込まれ、本特許請求の範囲に包含されることが意図される。さらに、システムまたは方法が、本開示によって解決されることが求められる各問題およびあらゆる問題に対処するための要件は、本請求項に包含されるものではない。さらに、本開示における要素、構成要素、または方法の工程は、要素、構成要素または方法の工程が請求項に明示的に列挙されているかどうかにかかわらず、公衆に捧げることを意図していない。しかしながら、添付の特許請求の範囲に記載されているように、本開示の精神および範囲から逸脱することなく、形態、材料、工作物、および製造材料の詳細における様々な変更および修正が行われてもよい。当業者であれば、本開示に包含される。
【産業上の利用可能性】
【００３９】
本開示は、産業的に磁気共鳴画像法（MRI）システムおよび方法に適用される。 より詳細には、本開示は、産業上、MRIのための無線周波数（RF）コイルシステムおよび方法に適用される。 さらに詳細には、本開示は、産業上、MRIのためのRF頭部コイルシステムおよび方法に適用される。
【図１】
0003221019.tif 000003
【図２】
0003221019.tif 000004
【図３】
0003221019.tif 000005
【図４】
0003221019.tif 000006
【図５】
0003221019.tif 000007
【図６】
0003221019.tif 000008
【図７】
0003221019.tif 000009
【図８】
0003221019.tif 000010
【図９】
0003221019.tif 000011
【図１０】
0003221019.tif 000012
【図１１】
0003221019.tif 000013
【図１２】
0003221019.tif 000014
【図１３】
0003221019.tif 000015
【図１４Ａ】
0003221019.tif 000016
【図１４Ｂ】
0003221019.tif 000017
【図１４Ｃ】
0003221019.tif 000018
【図１４Ｄ】
0003221019.tif 000019
【図１５】
0003221019.tif 000020
【図１６】
0003221019.tif 000021
【図１７】
0003221019.tif 000022
【手続補正書】
【提出日】平成30年7月26日(2018.7.26)
【手続補正１】
【補正対象書類名】実用新案登録請求の範囲
【補正対象項目名】全文
【補正方法】変更
【補正の内容】
【実用新案登録請求の範囲】
【請求項１】
磁気共鳴画像法（MRI）を向上および/または最適化するための頭部コイルシステムであって、システムは、
少なくとも１つの部分を含むハウジングであって、少なくとも１つの部分は、下部、上部、および対向する側部を備え、少なくとも１つの部分のそれぞれは、調整可能性を容易にするために任意に他の少なくとも１つの部分と可動関係にあり、少なくとも１つの部分のそれぞれは、少なくとも１つの無線周波数（RF）コイルを収容するように構成され、上部および下部は、少なくとも１つのRFコイルのデカップリングを容易にするために、対向する側部に重なり合って係合するように構成され、下部は、対向する側部と任意に係合可能であるハウジングと、
調整可能性およびドッキング可能性の少なくとも１つを容易にするための任意の他の少なくとも１つの部分と可動であり、下部と係合可能であり、トランスポータと固定可能に結合可能である舌部と、
を含むシステム。
【請求項２】
前記ハウジングは、前記少なくとも１つの部分のそれぞれが他の少なくとも１つの部分に対する調整可能性によって、任意の所与の被検体の頭部を収容するように構成される、請求項１に記載のシステム。
【請求項３】
請求項１に記載のシステムにおいて、
前記少なくとも１つの部分のそれぞれおよび前記舌部の少なくとも１つは、少なくともメモリ特性を有するポリマー材料のような弾性材料と、別の下位部分に関して関節運動するように構成された少なくとも１つの下位部分と、を含む少なくとも１つの微調整機構を介して調整をさらに容易にするように構成され、
さらなる調整が可能となり、走査時間が最小限に抑えられる、システム。
【請求項４】
請求項１に記載のシステムにおいて、
前記トランスポータの少なくとも１つの対応するレールと係合し、前記舌部を前記下部および前記対向する側部と整列させるように構成された少なくとも１つのガイドと、
前記トランスポータの少なくとも１つの対応するガイドに係合し、前記舌部を前記下部および前記対向する側部に整列させるように構成された少なくとも１つのレールと、
をさらに含むシステム。
【請求項５】
前記少なくとも１つの下位部分のそれぞれは、ヒンジ、ピン、ボールジョイント、およびスライダのうちの少なくとも１つを介して別の下位部分に対して関節運動するように構成される、請求項３に記載のシステム。
【請求項６】
請求項１に記載のシステムにおいて、
前記少なくとも１つの部分のそれぞれおよび前記舌部の少なくとも１つは、閉じた位置の別の少なくとも１つの部分に対して重なり合うように構成され、
前記少なくとも１つの部分のそれぞれおよび前記舌部の少なくとも１つは、開いた位置の別の少なくとも１つの部分に対して間隔をあけて配置されるように構成されている、システム。
【請求項７】
請求項６に記載のシステムにおいて、
前記少なくとも１つのRFコイルの間の隙間を除去し、閉じた位置にある少なくとも１つのRFコイルのそれぞれとデカップリングを確実にするために、前記上部、前記下部、および前記舌部のうちの少なくとも１つが、重なるリップ構造によって前記対向する側部に重なり合って係合するように構成され、
実質的に円形の走査ボリュームが提供される、システム。
【請求項８】
前記少なくとも１つのRFコイルのそれぞれは、別の円形および蝶形のRFコイルと重なり合う少なくとも１つの構成を含む、請求項１に記載のシステム。
【請求項９】
請求項１に記載のシステムにおいて、
前記トランスポータの少なくとも１つの対応するレールと係合し、前記舌部を前記下部および前記対向する側部と整列させるように構成された少なくとも１つのガイドと、
前記トランスポータの少なくとも１つの対応するガイドに係合し、前記舌部を前記下部および前記対向する側部に整列させるように構成された少なくとも１つのレールと、
を含むシステム、それにより、
前記ハウジングは、前記少なくとも１つの部分のそれぞれが別の前記少なくとも１つの部分に対して調節可能となるように、任意の被験者の頭部を収容するように構成され、
前記少なくとも１つの部分のそれぞれおよび前記舌部の少なくとも１つは、少なくともメモリ特性を有するポリマー材料のような弾性材料と、少なくとも１つの下位材料とを含む少なくとも１つの微調整機構によって調整をさらに容易にするように構成されている、他の下位部分に関して関節運動するように構成され、さらなる調整が除去可能であり、走査時間が最小限に抑えられるように構成され、
前記ヒンジ、ピン、ボールジョイント、およびスライダのうちの少なくとも１つを介して別の下位部分に対して関節運動するように構成され、
前記少なくとも１つの部分のそれぞれおよび前記舌部の少なくとも１つは、閉じた位置において別の前記少なくとも１つの部分に対して重なるように構成され、
前記少なくとも１つの部分および前記舌部のそれぞれの少なくとも１つは、開いた位置において別の前記少なくとも１つの部分に対して離間して配置され、
前記少なくとも１つのRFコイルの間の隙間を除去し、閉じた位置にある少なくとも１つのRFコイルのそれぞれとデカップリングを確実にするために、前記上部、前記下部、および前記舌部のうちの少なくとも１つが、重なるリップ構造によって前記対向する側部に重なり合って係合するように構成され、実質的に円形の走査ボリュームが提供され、
それぞれの少なくとも１つのRFコイルは、円形及び蝶形の少なくとも１つの構成される、システム。
【手続補正書】
【提出日】平成31年2月16日(2019.2.16)
【手続補正１】
【補正対象書類名】実用新案登録請求の範囲
【補正対象項目名】全文
【補正方法】変更
【補正の内容】
【実用新案登録請求の範囲】
【請求項１】
磁気共鳴画像法（MRI）を向上および/または最適化するための頭部コイルシステムであって、システムは、
少なくとも１つの部分を含むハウジングであって、少なくとも１つの部分は、下部、上部、および対向する側部を備え、少なくとも１つの部分のそれぞれは、調整可能性を容易にするために任意に他の少なくとも１つの部分と可動関係にあり、少なくとも１つの部分のそれぞれは、少なくとも１つの無線周波数（RF）コイルを収容するように構成され、上部および下部は、少なくとも１つのRFコイルのデカップリングを容易にするために、対向する側部に重なり合って係合するように構成され、下部は、対向する側部と任意に係合可能であるハウジングと、
調整可能性およびドッキング可能性の少なくとも１つを容易にするための任意の他の少なくとも１つの部分と可動であり、下部と係合可能であり、トランスポータと固定可能に結合可能である舌部と、
を含むシステム。
【請求項２】
前記ハウジングは、前記少なくとも１つの部分のそれぞれが他の少なくとも１つの部分に対する調整可能性によって、任意の所与の被検体の頭部を収容するように構成される、請求項１に記載のシステム。
【請求項３】
請求項１に記載のシステムにおいて、
前記少なくとも１つの部分のそれぞれおよび前記舌部の少なくとも１つは、少なくともメモリ特性を有するポリマー材料のような弾性材料と、別の下位部分（下部、上部、対向する側部、または舌部など）に関して関節運動するように構成された少なくとも１つの下位部分と、を含む少なくとも１つの微調整機構を介して調整をさらに容易にするように構成され、
さらなる調整が可能となり、走査時間が最小限に抑えられる、システム。
【請求項４】
請求項１に記載のシステムにおいて、
前記トランスポータの少なくとも１つの対応するレールと係合し、前記舌部を前記下部および前記対向する側部と整列させるように構成された少なくとも１つのガイドと、
前記トランスポータの少なくとも１つの対応するガイドに係合し、前記舌部を前記下部および前記対向する側部に整列させるように構成された少なくとも１つのレールと、
をさらに含むシステム。
【請求項５】
前記少なくとも１つの下位部分のそれぞれは、ヒンジ、ピン、ボールジョイント、およびスライダのうちの少なくとも１つを介して別の下位部分に対して関節運動するように構成される、請求項３に記載のシステム。
【請求項６】
請求項１に記載のシステムにおいて、
前記少なくとも１つの部分のそれぞれおよび前記舌部の少なくとも１つは、閉じた位置の別の少なくとも１つの部分に対して重なり合うように構成され、
前記少なくとも１つの部分のそれぞれおよび前記舌部の少なくとも１つは、開いた位置の別の少なくとも１つの部分に対して間隔をあけて配置されるように構成されている、システム。
【請求項７】
請求項６に記載のシステムにおいて、
前記少なくとも１つのRFコイルの間の隙間を除去し、閉じた位置にある少なくとも１つのRFコイルのそれぞれとデカップリングを確実にするために、前記上部、前記下部、および前記舌部のうちの少なくとも１つが、重なるリップ構造によって前記対向する側部に重なり合って係合するように構成され、
実質的に円形の走査ボリュームが提供される、システム。
【請求項８】
前記少なくとも１つのRFコイルのそれぞれは、別の円形および蝶形のRFコイルと重なり合う少なくとも１つの構成を含む、請求項１に記載のシステム。
【請求項９】
請求項１に記載のシステムにおいて、
前記トランスポータの少なくとも１つの対応するレールと係合し、前記舌部を前記下部および前記対向する側部と整列させるように構成された少なくとも１つのガイドと、
前記トランスポータの少なくとも１つの対応するガイドに係合し、前記舌部を前記下部および前記対向する側部に整列させるように構成された少なくとも１つのレールと、
を含むシステム、それにより、
前記ハウジングは、前記少なくとも１つの部分のそれぞれが別の前記少なくとも１つの部分に対して調節可能となるように、任意の被験者の頭部を収容するように構成され、
前記少なくとも１つの部分のそれぞれおよび前記舌部の少なくとも１つは、少なくともメモリ特性を有するポリマー材料のような弾性材料と、少なくとも１つの下位部分（下部、上部、対向する側部、または舌部など）とを含む少なくとも１つの微調整機構によって調整をさらに容易にするように構成されている、他の下位部分に関して関節運動するように構成され、さらなる調整が除去可能であり、走査時間が最小限に抑えられるように構成され、
ヒンジ、ピン、ボールジョイント、およびスライダのうちの少なくとも１つを介して別の下位部分に対して関節運動するように構成され、
前記少なくとも１つの部分のそれぞれおよび前記舌部の少なくとも１つは、閉じた位置において別の前記少なくとも１つの部分に対して重なるように構成され、
前記少なくとも１つの部分および前記舌部のそれぞれの少なくとも１つは、開いた位置において別の前記少なくとも１つの部分に対して離間して配置され、
前記少なくとも１つのRFコイルの間の隙間を除去し、閉じた位置にある少なくとも１つのRFコイルのそれぞれとデカップリングを確実にするために、前記上部、前記下部、および前記舌部のうちの少なくとも１つが、重なるリップ構造によって前記対向する側部に重なり合って係合するように構成され、実質的に円形の走査ボリュームが提供され、
それぞれの少なくとも１つのRFコイルは、円形及び蝶形の少なくとも１つの構成される、システム。